(57)【要約】【課題】ラベルが実際に被着体に貼付された旨を容易に管理する。【解決手段】表面に情報が印字可能に構成されたベースシート６の裏面に粘着剤４を介して剥離可能に貼着された剥離紙５に、非接触状態にて情報の書き込み及び読み出しが可能なＩＣチップ７を取り付け、ベースシート６の印字領域に印字された情報の少なくとも一部をＩＣチップ７に書き込んでおく。【選択図】図１
2007101575.tif 000002
【特許請求の範囲】
【請求項１】
表面に情報が印字可能に構成されたラベル基材と、該ラベル基材の裏面に粘着剤を介して剥離可能に貼着された剥離紙とを有してなるラベルにおいて、
前記剥離紙は、非接触状態にて情報の書き込み及び読み出しが可能なＩＣチップを有することを特徴とするラベル。
【請求項２】
請求項１に記載のラベルを発行するラベル発行装置であって、
前記ラベル基材の表面に情報を印字する印字手段と、
前記印字手段にて前記ラベル基材に印字された情報の少なくとも一部を前記ＩＣチップに書き込む書込手段とを有するラベル発行装置。
【発明の詳細な説明】
【技術分野】
【０００１】
本発明は、情報が印字可能に構成されたラベル基材に剥離紙が剥離可能に貼着されてなるラベル及びこれを発行するラベル発行装置に関する。
【背景技術】
【０００２】
従来より、物品等の被着体に貼付可能に構成されたラベルは、表面に情報を印字することにより、貼付される被着体を管理することができる。例えば、貼付される物品の名称を印字することにより物品を識別可能としたり、貼付される物品の管理番号を印字することにより同じ物品であっても１つ１つの物品を識別可能としたりすることができる。
【０００３】
このようなラベルのうち、例えば、駐車違反取り締まりの標章ラベルや、作業現場で発行される資材管理ラベルあるいは部品管理指示書ラベルや、空港等の手荷物に貼付される手荷物管理用ラベル等、発行された後にそのラベルを用いて処理を行うものにおいては、その発行実績を管理する必要がある。このようにラベルの発行実績を管理する場合、ラベルを発行するラベル発行装置において、ラベルを発行する際にその印字内容と発行枚数とを管理することが考えられている（例えば、特許文献１参照。）。
【特許文献１】特開２００４−１００９０号公報
【発明の開示】
【発明が解決しようとする課題】
【０００４】
しかしながら、上述したようにラベルを発行するラベル発行装置において、ラベルを発行する際にその印字内容と発行枚数とを管理するものにおいては、ラベルが発行されたことを管理することはできるものの、その後、発行されたラベルが実際に被着体に貼付されたかどうかを管理することはできない。そのため、発行されたラベルが被着体に貼付されていないにも関わらず、被着体に貼付されたものとして管理されてしまう虞れがある。
【０００５】
また、ラベル発行装置における管理情報を参照しなければラベルの発行実績を把握することができないため、ラベルを発行するセクションとラベルの発行実績を管理するセクションとが異なる場合、ラベルの発行実績を管理するセクションとラベル発行装置とをネットワークで接続する等といった技術的なインフラの整備が必要となってしまうという問題点がある。
【０００６】
本発明は、上述したような従来の技術が有する問題点に鑑みてなされたものであって、ラベルが実際に被着体に貼付された旨を容易に管理することができるラベル及びこれを発行するラベル発行装置を提供することを目的とする。
【課題を解決するための手段】
【０００７】
上記目的を達成するために本発明は、
表面に情報が印字可能に構成されたラベル基材と、該ラベル基材の裏面に粘着剤を介して剥離可能に貼着された剥離紙とを有してなるラベルにおいて、
前記剥離紙は、非接触状態にて情報の書き込み及び読み出しが可能なＩＣチップを有することを特徴とする。
【０００８】
上記のように構成された本発明においては、ラベル発行装置にて発行される際に、ラベル基材の表面に情報が印字されるとともに、ラベル基材に印字された情報の少なくとも一部が剥離紙のＩＣチップに書き込まれる。ラベルが被着体に貼付された後、剥離紙が回収され、その剥離紙のＩＣチップに書き込まれた情報が読み出されることにより、印字された情報の少なくとも一部が認識され、それにより、その情報が印字されたラベルが被着体に貼付されたことが管理されることになる。
【発明の効果】
【０００９】
以上説明したように本発明においては、表面に情報が印字可能に構成されたラベル基材の裏面に粘着剤を介して剥離可能に貼着された剥離紙が、非接触状態にて情報の書き込み及び読み出しが可能なＩＣチップを有する構成としたため、発行される際に、ラベル基材の表面に情報を印字するとともに、ラベル基材に印字された情報の少なくとも一部を剥離紙のＩＣチップに書き込んでおけば、ラベルが被着体に貼付された後、剥離紙のＩＣチップに書き込まれた情報を読み出すだけで、その情報によって特定されるラベルが実際に被着体に貼付された旨を管理することができる。また、ラベル基材から剥離された剥離紙を有効に利用することができる。
【発明を実施するための最良の形態】
【００１０】
以下に、本発明の実施の形態について図面を参照して説明する。
【００１１】
図１は、本発明のラベルの実施の一形態である放置車両確認標章の一構成例を示す図であり、（ａ）は表面から見た図、（ｂ）は（ａ）に示したＡ−Ａ’断面図、（ｃ）は（ｂ）に示した剥離紙５のベースシート６との貼着面の構成を示す図である。
【００１２】
本形態における放置車両確認標章は図１に示すように、標章印刷部１と説明印刷部２とがミシン目３を介して連接したラベル基材となるベースシート６の裏面に、非接触状態にて情報の書き込み及び読み出しが可能となるよう交信用のアンテナ（不図示）が内蔵されたＩＣチップ７が取り付けられた剥離紙５が粘着部４によって剥離可能に貼着されて構成されている。なお、ＩＣチップ７は、０．５ｍｍ角程度の微小なものであって、貼付や漉き込み等の方法によって、剥離紙５のうちベースシート６が貼着されていない領域に取り付けられている。
【００１３】
標章印刷部１には、駐車違反となる放置車両の車両番号が印字される車両番号印字領域１ａと、放置車両を確認した確認者の氏名や連絡先の電話番号等が印字される確認者情報印字領域１ｂと、駐車違反の日時や場所等の違反情報が印字される違反情報印字領域１ｃと、放置車両確認標章１００の管理番号が印字される管理番号印字領域１ｄとの印字領域が設けられている。
【００１４】
剥離紙５は、剥離基材の一方の面にニス等が塗布され、このニス等が塗布された面が粘着剤４を介してベースシート６と貼着されることにより、ベースシート６と剥離紙５とが剥離可能に貼着されることになる。そして、剥離紙５が剥離されることにより、ベースシート６は被着体に貼付可能となる。また、剥離紙５には、ベースシート６のミシン目３に対向する領域にミシン目５ａが形成されており、ベースシート６との貼着面とは反対側の面に、放置車両確認標章１００への情報印字のタイミングを制御するためのタイミングマーク５ｂが印刷されている。
【００１５】
以下に、上記のように構成された放置車両確認標章１００の発行方法について説明する。
【００１６】
図２は、図１に示した放置車両確認標章１００を発行するためのシステム構成例を示す図である。
【００１７】
本形態においては、図１に示した放置車両確認標章１００を発行するために、放置車両確認標章１００に印字する情報を入力するための携帯端末１０と、携帯端末１０に入力された情報を用いて放置車両確認標章１００を発行するラベル発行装置２０とを用いる。
【００１８】
携帯端末１０には、位置情報を取得する位置情報取得部１１と、時刻情報を保持する日時計測部１２と、情報を入力するための情報入力部１３と、情報を表示する情報表示部１４と、ラベル発行装置２０に情報を送信する情報送信部１６と、制御部１７とが設けられており、地図情報データ１５が格納されている。
【００１９】
ラベル発行装置２０には、携帯端末１０から送信されてきた情報を受信する通信部２１と、放置車両確認標章１００をラベル発行装置２０内にて移送するラベル送り部２２と、放置車両確認標章１００に情報を印字する印字部２３と、印字部２３にて放置車両確認標章１００に印字される情報の一部を剥離紙５に取り付けられたＩＣチップ７に書き込む情報書込部２５と、制御部２４とが設けられている。
【００２０】
図３は、図２に示したラベル発行装置２０にて放置車両確認標章１００が発行される際の状態を示す図であり、図４は、図２及び図３に示したシステムにて放置車両確認標章１００が発行される際の処理を説明するためのフローチャートである。
【００２１】
図２に示したシステム構成を用いて図１に示した放置車両確認標章１００を発行する場合は、まず、携帯端末１０の位置情報取得部１１において、ＧＰＳ衛星（不図示）から送信される緯度経度データが位置情報として取得され、制御部１７において、地図情報データ１５が参照され、位置情報取得部１１にて取得された緯度経度データに対応する場所情報が認識される（ステップＳ１）。なお、この場所情報は、住所であってもよいし、公園や通りの名称等といった場所を特定可能な情報であってもよい。これらの情報は、地図情報データ１５において、緯度経度データと対応づけられている。
【００２２】
また、駐車違反となる放置車両の車両番号と、放置車両を確認した確認者の氏名や連絡先の電話番号等が情報入力部１３を介して入力され、制御部１７に与えられる（ステップＳ２）。
【００２３】
制御部１７にて認識された場所情報と情報入力部１３を介して入力された情報は、日時計測部１２にて保持される時刻情報とともに情報表示部１４に表示される（ステップＳ３）。
【００２４】
放置車両を確認した確認者が、情報表示部１４に表示された情報を確認し、この情報を用いて放置車両確認標章１００を発行する旨が情報入力部１３を介して指定されると、情報表示部１４に表示された情報が情報送信部１６を介してラベル発行装置２０に送信される（ステップＳ４）。
【００２５】
携帯端末１０からラベル発行装置２０に送信された情報がラベル発行装置２０の通信部２１にて受信されると（ステップＳ５）、ラベル発行装置２０の制御部２４の制御によってラベル送り部２２となるモータ２２ａが回転し、それにより、連続状となった剥離紙５に貼着された放置車両確認標章１００がラベル発行装置２０内にて移送される（ステップＳ６）。図３に示すように、ラベル発行装置２０には、放置車両確認標章１００が連続状の剥離紙５に貼着されてなるロール材８がセットされており、モータ２２ａが回転することによってロール材８から剥離紙７が引き出され、放置車両確認標章１００が貼着された剥離紙５がラベル発行装置２０内を移送される。
【００２６】
放置車両確認標章１００が貼着された剥離紙５がラベル発行装置２０内を移送されている状態において、剥離紙５に印刷されたタイミングマーク５ｂがラベル発行装置２０のタイミングマークセンサ２６にて検出されると（ステップＳ７）、印字部２３となる印字ヘッド２３ａにおいて、携帯端末１０から送信されて通信部２１にて受信された情報が放置車両確認標章１００に印字される（ステップＳ８）。車両番号印字領域１ａには、駐車違反となる放置車両の車両番号が印字され、確認者情報印字領域１ｂには、放置車両を確認した確認者の氏名や連絡先の電話番号等が印字され、違反情報印字領域１ｃには、駐車違反の日時や場所等の違反情報が印字される。タイミングマーク５ｂは、連続状となった剥離紙５のうち、放置車両確認標章１００に対応する領域毎にその移送方向先端側の端部に印刷されており、これらの情報は、モータ２２ａの回転による剥離紙５の移送速度と、車両番号印字領域１ａ、確認者情報印字領域１ｂ及び違反情報印字領域１ｃとタイミングマーク５ｂとの距離によって算出されるタイミングでそれぞれ印字されることになる。また、標章印刷部１に設けられた管理番号印字領域１ｄに放置車両確認標章１００の管理番号が印字される。この管理番号は、ラベル発行装置２０に予め与えられた識別番号と、ラベル発行装置２０における発行番号とから構成されており、制御部２４において放置車両確認標章１００毎に管理番号が付与され、印字ヘッド２３ａにて印字されることになる。それにより、放置車両確認標章１００に印字された管理番号は、放置車両確認標章１００毎に異なるものとなり、この管理番号によって放置車両確認標章１００が特定可能となる。なお、この際、ＩＣチップ７は、剥離紙５のベースシート６が貼着されていない領域に取り付けられているため、ベースシート６の表面に凹凸が生じることがなく、それにより、印字ヘッド２３ａに悪影響を及ぼしたり、印字ヨレが生じたりすることを回避することができる。
【００２７】
また、制御部２４にて放置車両確認標章１００毎に付与された管理番号は、情報書込部２５となる書込ヘッド２５ａにも送られ、書込ヘッド２５ａによって、剥離紙５に取り付けられたＩＣチップ７に書き込まれる（ステップＳ９）。
【００２８】
ここで、ＩＣチップ７が、剥離紙５のうち放置車両確認標章１００の移送方向後端側に取り付けられているため、放置車両確認標章１００への印字が終了した後にＩＣチップ７に対する情報の書き込みが行われることになり、それにより、ＩＣチップ７への情報の書き込み後にラベル発行装置３０が停止して印字が途中となってしまった場合等、ＩＣチップ７への情報の書き込みのみがなされることを防止することができる。また、図３に示すように、書込ヘッド２５ａを印字ヘッド２３ａに対して放置車両確認標章１００の移送方向下流側に配置することによっても、放置車両確認標章１００への印字が終了した後にＩＣチップ７に対する情報の書き込みが行われることになり、それにより、上記同様の効果を得ることができる。
【００２９】
上述した一連の処理によって、ラベル発行装置２０から放置車両確認標章１００が発行されることになる。なお、ラベル発行装置２０においては、ロール材８から引き出された連続状の放置車両確認標章１００がローラ等によって移送されることになるが、上述したように、ＩＣチップ７が、剥離紙５のベースシート６が貼着されていない領域に取り付けられているため、ＩＣチップ７は、ベースシート６と粘着剤４の厚み分だけローラ等の押圧を避けることができ、破損が防止される。
【００３０】
図５は、図２及び図３に示したラベル発行装置２０から発行された放置車両確認標章１００を示す図である。
【００３１】
図５に示すように、図２及び図３に示したラベル発行装置２０から発行された放置車両確認標章１００は、ミシン目５ａを介して剥離紙５が連続状となっており、車両番号印字領域１ａには、駐車違反となる放置車両の車両番号が印字され、確認者情報印字領域１ｂには、放置車両を確認した確認者の氏名や連絡先の電話番号等が印字され、違反情報印字領域１ｃには、駐車違反の日時や場所等の違反情報が印字され、管理番号印字領域１ｄには、放置車両確認標章１００の管理番号が印字されている。
【００３２】
このように発行された放置車両確認標章１００は、まず、ミシン目５ａによって剥離紙５が単片状に断裁され、その後、断裁された剥離紙５から放置車両確認標章１００が剥離され、放置車両に貼付されることになる。なお、放置車両確認標章１００のうち説明印刷部２においては、貼付される放置車両によってはミシン目３によって破断し、放置車両に貼付せずに廃棄することになる。
【００３３】
また、放置車両確認標章１００が剥離された剥離紙５は回収されて保管される。例えば、１つの警察署の管轄内にて複数のラベル発行装置２０を用いて放置車両確認標章１００が発行された場合、発行された放置車両確認標章１００の剥離紙５が全て管轄の警察署に保管される。保管された剥離紙５に取り付けられたＩＣチップ７には、放置車両確認標章の管理番号印字部１ｄに印字された管理番号が書き込まれているため、その後、ＩＣチップ７から管理番号を読み出すことにより、その管理番号が印字された放置車両確認標章１００が発行されて車両に貼付されたことを認識することができる。また、ＩＣチップ７に書き込まれた管理番号は、上述したように、ラベル発行装置２０に予め与えられた識別番号と、ラベル発行装置２０における発行番号とから構成されているため、この管理番号に基づいて、どのラベル発行装置２０から発行された放置車両確認標章１００であるか、また、そのラベル発行装置２０にて何番目に発行された放置車両確認標章１００であるかを認識することができる。
【００３４】
このように本形態においては、放置車両確認標章１００に印字された放置車両確認標章１００の管理番号が、放置車両確認標章１００に貼着された剥離紙５に取り付けられたＩＣチップ７に書き込まれているので、放置車両確認標章１００を放置車両に貼付するために剥離紙５を剥離した後、剥離紙５を保管、管理しておき、その後、剥離紙５に取り付けられたＩＣチップ７に書き込まれた管理番号を読み出すことにより、その管理番号が印字された放置車両確認標章１００が放置車両に貼付されたことを認識することができる。
【００３５】
なお、本形態においては、剥離紙５に取り付けられたＩＣチップ７に、放置車両確認標章１００の管理番号を書き込んでおく構成を例に挙げて説明したが、ＩＣチップ７に書き込む情報は、放置車両確認標章１００に印字される情報であればいずれの情報でも構わない。ただし、放置車両確認標章１００の管理番号等、放置車両確認標章１００が特定可能なものであることが好ましい。また、車両番号印字領域１ａに印字された車両番号や、確認者情報印字領域１ｂに印字された確認者の氏名や連絡先の電話番号等や、違反情報印字領域１ｃに印字された違反情報等を、放置車両確認標章１００の管理番号とともにＩＣチップ７に書き込んでおく構成とすることも考えられる。その場合、剥離紙５に取り付けられたＩＣチップ７に書き込まれた情報を読み出すことにより、管理番号によって特定される放置車両確認標章１００が、いつどこでの違反を取り締まるために用いられたかを認識することができる。また、剥離紙５に取り付けられたＩＣチップ７に書き込まれた情報を読み出すだけで、違反状況を集計、分析することができる。すなわち、ラベル発行装置２０においては、発行された放置車両確認標章１００が放置車両に貼付された後の剥離紙５を用いた放置車両確認標章１００の状況確認内容に応じた種類の情報を、剥離紙５に取り付けられたＩＣチップ７に書き込むことになる。
【００３６】
また、本形態においては、放置車両確認標章１００の管理番号印字領域１ｄに印字される管理番号、並びに剥離紙５に取り付けられたＩＣチップ７に書き込まれる管理番号は、ラベル発行装置２０に予め与えられた識別番号と、ラベル発行装置２０における発行番号とから構成されているが、本発明はこれに限らず、ラベル発行装置２０から発行された放置車両確認標章１００を識別可能なものであればよい。
【００３７】
また、本形態においては、ラベルとして放置車両確認標章１００を例に挙げて説明したが、本発明はこれに限らず、表面に情報が印字可能に構成されたラベル基材と、ラベル基材の裏面に粘着剤を介して剥離可能に貼着された剥離紙とを有してなるラベルであれば、この剥離紙に、非接触状態にて情報の書き込み及び読み出しが可能なＩＣチップを取り付けることにより本発明を実現することができる。
【図面の簡単な説明】
【００３８】
【図１】本発明のラベルの実施の一形態である放置車両確認標章の一構成例を示す図であり、（ａ）は表面から見た図、（ｂ）は（ａ）に示したＡ−Ａ’断面図、（ｃ）は（ｂ）に示した剥離紙５のベースシート６との貼着面の構成を示す図である。
【図２】図１に示した放置車両確認標章を発行するためのシステム構成例を示す図である。
【図３】図２に示したラベル発行装置にて放置車両確認標章が発行される際の状態を示す図である。
【図４】図２及び図３に示したシステムにて放置車両確認標章が発行される際の処理を説明するためのフローチャートである。
【図５】図２及び図３に示したラベル発行装置から発行された放置車両確認標章を示す図である。
【符号の説明】
【００３９】
１    標章印刷部
１ａ    車両番号印字領域
１ｂ    確認者情報印字領域
１ｃ    違反情報印字領域
１ｄ    管理番号印字領域
２    説明印刷部
３，５ａ    ミシン目
４    粘着剤
５    剥離紙
５ｂ    タイミングマーク
６    ベースシート
７ｃ    管理番号
８    ロール材
１０    携帯端末
１１    位置情報取得部
１２    日時計測部
１３    情報入力部
１４    情報表示部
１５    地図情報データ
１６    情報送信部
１７，２４    制御部
２０    ラベル発行装置
２１    通信部
２２    ラベル送り部
２２ａ    モータ
２３    印字部
２３ａ    印字ヘッド
２５    情報書込部
２５ａ    書込ヘッド
２６    タイミングマークセンサ                                            
【図１】
2007101575.tif 000003
【図２】
2007101575.tif 000004
【図３】
2007101575.tif 000005
【図４】
2007101575.tif 000006
【図５】
2007101575.tif 000007